(57)【要約】【課題】軸端部を環状に成形して釣り糸の締結部を形成した釣り針において、軸の切断端部による糸切れを防止する。【解決手段】釣り針１の軸部２の一端を環状に成形して釣り糸の締結部３が形成されている。前記軸部２の切断端面４の周囲は面取り部５となっている。切断端面４を軸部２の外形に合わせて曲面状に凹ませた凹部６としている。釣り糸の締結部３は、前記凹部６が軸部２の外周面に嵌り込むようにして、軸部２を環状に成形することにより形成されている。軸部２の切断端面４と軸部２の表面が密着している。軸部２の切断端面４に面取り部５が形成されているので、前記切断端面４と軸部表面との突き合わせ部分に鋭角部が存在しない。【選択図】  図１
2004283020.tif 000002
【特許請求の範囲】
【請求項１】
釣り針の軸端部分を環状に成形して釣り糸の締結部とした釣り針において、切断端面を軸部の外形に合わせて曲面状に凹ませた凹部とし、この凹部が軸部の外周面に嵌り込むようにして、軸端部分を成形して環状の締結部を形成したことを特徴とする釣り針。
【請求項２】
釣り針の軸端部分を環状に成形して釣り糸の締結部とした釣り針において、前記軸端部分の切断端面の周囲を面取して、前記切断端面と軸部表面との突き合わせ部分に鋭角部が存在しないように環状の締結部を形成したことを特徴とする釣り針。
【請求項３】
釣り針の軸端部分を環状に成形して釣り糸の締結部とした釣り針において、前記軸端部分の切断端面の周囲を面取りすると共に、切断端面を軸部の外形に合わせて曲面状に凹ませた凹部とし、この凹部が軸部の外周面に嵌り込むようにして、軸端部分を成形して環状の締結部を形成したことを特徴とする釣り針。
【発明の詳細な説明】
【０００１】
【発明の属する技術分野】
本発明は、軸端部に環状をした釣り糸締結部を形成した釣り針に関するものであって、特に、魚が掛かった時の衝撃で環状の締結部に通した釣り糸が切断することを防止した釣り針に掛かる。
【０００２】
【従来の技術】
従来から、釣り針と糸を繋ぐために、針と糸の結び方や、糸を結びやすい釣り針の構造が、釣りの対象となる魚の大きさや種類などに合わせて多数知られている。その一つに、図３に示すように、釣り針１０の軸部１１の端部に、環状の釣り糸締結部１２を形成したものがある。この釣り針に対する糸の結び方も何種類かあるが、軸部１１に巻き付けた糸の一端を環状の締結部１２の中を通して幹糸側に引き出すものがある。
【０００３】
ところが、この種の釣り針は、カジキやマグロなどの大物釣り用の釣り針として使用されることが多く、魚が掛かった時の衝撃は非常に大きいものである。そのため、釣り糸２０が環状となった軸部１１の端部１３によって切断されてしまう現象が生じる。特に、この種の釣り針は、丸棒状となった鋼材を所定の長さに切断し、その一端に針先１４を形成すると共に、他端を環状に成形して釣り糸締結部１２を形成しているため、図４の拡大図に示すように、締結部１２側の端部１３は鋼材切断時の切り口がそのまま残って角張っているので、釣り糸２０に強い力が加わると、糸がこの角張った部分に食い込んで、切断されてしまう。
【０００４】
また、丸棒状の鋼材を環状に成形しているため、垂直になった切り口と円柱状の軸部との間には隙間３０が生じ、この部分に糸が食い込みやすく、糸が切断されやすい原因にもなっていた。
【０００５】
なお、この種の大物釣り用の釣り針は、釣り師や漁師の間では広く使用されてきたが、特許出願としては先行文献がほとんど存在しない。例えば、特許文献１には、軸部に環状の部分を形成した釣り針が示されているが、糸切れが発生するような大物釣り用の針ではない。また、特許文献２は、大物釣り用の針ではあるが、針の軸部に別部材としたリングが回動自在に取り付けられており、軸部をリング状に成型して環状の締結部を形成したものではない。
【０００６】
【特許文献１】
特開平１１−１７８４７６号公報
【特許文献２】
特表平９−５０８８０５号公報
【０００７】
【発明が解決しようとする課題】
前記のような問題点を解消するために、釣り糸２０の外側に保護用の筒を被せて、糸が切断端部に当たらないようにする試みもなされている。しかし、糸を結ぶ度に、別に保護用の筒を用意することは面倒であり、好ましい方法ではなかった。
【０００８】
本発明は、上記のような従来技術の問題点を解決するために提案されたもので、その目的は、軸端部を環状に成形して釣り糸の締結部を形成した釣り針において、軸の切断端部による糸切れを防止することを目的とする。
【０００９】
【課題を解決するための手段】
上記の目的を達成するため、請求項１の発明は、釣り針の軸端部分を環状に成形して釣り糸の締結部とした釣り針において、切断端面を軸部の外形に合わせて曲面状に凹ませた凹部とし、この凹部が軸部の外周面に嵌り込むようにして、軸端部分を成形して環状の締結部を形成したことを特徴とする。
【００１０】
このような構成の請求項１の発明では、軸部の切断端面と軸部の表面が密着することができるので、両者の間に釣り糸が入り込む隙間が無くなり、釣り糸が切断端面に当たって切れることがなくなる。
【００１１】
請求項２の発明は、釣り針の軸端部分を環状に成形して釣り糸の締結部とした釣り針において、前記軸端部分の切断端面の周囲を面取して、前記切断端面と軸部表面との突き合わせ部分に鋭角部が存在しないように環状の締結部を形成したことを特徴とする。
【００１２】
このような構成の請求項２の発明では、軸部の切断端面が面取りされているので、切断端面の角が釣り糸に食い込むことが無くなり、糸切れが防止される。
【００１３】
請求項３の発明は、釣り針の軸端部分を環状に成形して釣り糸の締結部とした釣り針において、前記軸端部分の切断端面の周囲を面取りすると共に、切断端面を軸部の外形に合わせて曲面状に凹ませた凹部とし、この凹部が軸部の外周面に嵌り込むようにして、軸端部分を成形して環状の締結部を形成したことを特徴とする。
【００１４】
このような構成の請求項３の発明では、切断端面の面取りと、切断端面と軸部との密着という２つの機能により、糸切れがより効果的に防止される。
【００１５】
【発明の実施の形態】
次に、本発明の実施の形態について、図１及び図２を参照して具体的に説明する。なお、この実施の形態は、本願の請求項３に対応するものである。
【００１６】
図１の製造途中の図に示すように、本実施の形態においては、釣り針１の軸部２の一端を環状に成形して釣り糸の締結部３が形成されている。この場合、前記軸部２の切断端面４の周囲は面取り部５となっている。また、切断端面４を軸部２の外形に合わせて曲面状に凹ませた凹部６としている。
【００１７】
そして、図２の完成図に示すように、釣り糸２０の締結部３は、前記凹部６が軸部２の外周面に嵌り込むようにして、軸部２を環状に成形することにより形成されている。
【００１８】
前記のような構成を有する本実施の形態の釣り針１では、図２に示すように、軸部２の切断端面４と軸部２の表面が密着している。また、軸部２の切断端面４に面取り部５が形成されているので、前記切断端面４と軸部表面との突き合わせ部分に鋭角部が存在しない。その結果、本実施の形態によれば、切断端面４が釣り糸２０に食い込むことが無くなり、糸切れが防止される。
【００１９】
なお、本発明は上記実施の形態に限定されるものではなく、切断端面に凹部を形成するか、あるいは面取り部を形成するかいずれか一方のみを行っても、従来の釣り針に比較して糸切れを防止する効果は大きい。
【００２０】
【発明の効果】
以上のように、本発明によれば、釣り針の軸端部に凹部や面取りを形成するという簡単な手段により、釣り糸の糸切れを有効に防止できる釣り針を提供することができる。
【図面の簡単な説明】
【図１】本発明の釣り針の実施の形態の構成を示す拡大斜視図で、その製造途中の状態を示す。
【図２】本発明の釣り針の実施の形態の構成を示す拡大斜視図で、その完成状態を示す。
【図３】本発明の釣り針の全体構成を示す斜視図。
【図４】従来の釣り針の構成を示す拡大斜視図。
【符号の説明】
１，１０…釣り針
２，１１…軸部
３，１２…釣り糸締結部
４…切断端面
５…面取り部
６…凹部
１３…端部
１４…針先
２０…釣り糸
３０…隙間
【図１】
2004283020.tif 000003
【図２】
2004283020.tif 000004
【図３】
2004283020.tif 000005
【図４】
2004283020.tif 000006